(57)【要約】【課題】ユーザが容易にしかも確実に電気錠に発生した不具合の内容を認識することができる建物用ドア錠制御装置を提供する。【解決手段】施解錠制御システム１は、建物用ドアの錠前を施錠位置と解錠位置との間で電気的に移動させる電気錠１２と、電気錠１２に発生した不具合を検出する施解錠制御マイコン２４と、施解錠制御マイコン２４の検出結果の履歴を記憶するメモリ３１ａとを備えている。また、錠前の位置を検出する解錠検出スイッチ６１，７１及び施錠検出スイッチ６２，７２と、ドアの位置を検出するドア開閉センサ８とを備えている。施解錠制御マイコン２４は、解錠検出スイッチ６１，７１、施錠検出スイッチ６２，７２及びドア開閉センサ８の検出結果に基づいて、電気錠１２に発生した不具合を検出する。【選択図】図３
2007315033.tif 000002
【特許請求の範囲】
【請求項１】
建物用ドアの錠前を施錠位置と解錠位置との間で電気的に移動させる電気錠と、
前記電気錠に発生した不具合を検出する不具合検出手段と、
前記不具合検出手段の検出結果の履歴を記憶する記憶手段と、
を備えたことを特徴とする建物用ドア錠制御装置。
【請求項２】
請求項１に記載の建物用ドア錠制御装置において、
前記錠前の位置を検出する錠前位置検出手段と、前記建物用ドアの位置を検出するドア開閉検出手段と、を備え、
前記不具合検出手段は、前記錠前位置検出手段及び前記ドア開閉検出手段の検出結果に基づいて、前記電気錠に発生した不具合を検出することを特徴とする建物用ドア錠制御装置。
【請求項３】
請求項２に記載の建物用ドア錠制御装置において、
前記錠前位置検出手段は、前記錠前が施錠位置に存在しているときにＯＮ作動する施錠検出スイッチと、前記錠前が解錠位置に存在しているときにＯＮ作動する解錠検出スイッチとを備えたことを特徴とする建物用ドア錠制御装置。
【請求項４】
請求項１に記載の建物用ドア錠制御装置において、
前記錠前が施錠位置に存在しているときＯＮ作動する施錠検出スイッチと、前記錠前が解錠位置に存在しているときＯＮ作動する解錠検出スイッチと、を備え、
前記不具合検出手段は、前記施錠検出スイッチ及び前記解錠検出スイッチに通電し両スイッチがＯＮ作動しない場合に前記電気錠の電気系統に不具合が生じたと判断することを特徴とする建物用ドア錠制御装置。
【請求項５】
請求項１〜４のうち何れか１項に記載の建物用ドア錠制御装置において、
前記不具合検出手段は、該不具合検出手段の検出結果をエラーコード表示する表示手段を備えたことを特徴とする建物用ドア錠制御装置。
【請求項６】
請求項１〜５のうち何れか１項に記載の建物用ドア錠制御装置において、
前記不具合検出手段は、前記記憶手段に記憶された不具合を読み出して不具合内容を診断する診断手段を接続可能な接続部を備えたことを特徴とする建物用ドア錠制御装置。
【発明の詳細な説明】
【技術分野】
【０００１】
本発明は、不具合検出機能を有する建物用ドア錠制御装置に関するものである。
【背景技術】
【０００２】
近年、住宅等の建物用ドアには、ドアに設置された錠の施錠・解錠を電気的に制御できる電気錠システムが提案されている。例えば、特許文献１には、対応する電子キー（携帯機）の所持者がドア周辺の所定領域に進入してきたときに、施解錠制御部によりドア錠を自動的に移動させる住宅の施解錠制御システムが開示されている。
【０００３】
上記の施解錠制御システムでは、施解錠制御部は間欠的にリクエスト信号を送信している。所持者の電子キーがそのリクエスト信号を受信すると、電子キーは自身のＩＤコードを含むＩＤコード信号を送信する。施解錠制御部は、そのＩＤコード信号を受信すると、信号に含まれているＩＤコードと自身が有するＩＤコードとを比較する。そして、それらのＩＤコードが一致していれば、対応する電子キーであると判断し、サムターン（つまみ）を駆動することで錠前を解錠位置まで移動させてドア錠を解錠する。
【０００４】
このような施解錠制御システムであれば、ユーザは電子キーを操作することなくドア錠を施解錠させることができるため、施解錠操作の利便性が向上する。また、ドア錠を施解錠させるためには、電子キーと施解錠制御部との間での電子的な照合が必要となるため、従前の機械鍵を用いた施解錠装置に比べて、セキュリティレベルが向上する。
【特許文献１】特開２００３−３０７０７８号公報
【発明の開示】
【発明が解決しようとする課題】
【０００５】
ところで、上記の施解錠制御システムにおいて、錠前の作動に不具合が発生した場合、その旨をユーザに報知する必要がある。そこで、施解錠制御部に不具合検出機能を設け、不具合が発生した場合に、ランプ表示やブザー出力等の報知手段によりユーザに報知させる構成が考えられる。
【０００６】
しかしながら、ドア錠に発生した不具合を不審者に知らせてはならないという事情があるため、報知方法は分かり難いようにならざるを得ない。このため、ユーザにも分かり難いものになるという問題があった。また、不具合が発生したときのみその旨がユーザに報知される場合、時間が経過するとユーザはドア錠に不具合が発生したこと、及びその不具合内容を知ることができないという問題があった。
【０００７】
また、上述した施解錠システムのように電波認証の電気錠を用いる場合には、構造の複雑化に伴い不具合の要因の特定が困難になるという問題があった。例えば、不具合検出機能が錠前の位置検出機能を備え、錠前の位置が正しく検出されない場合に不具合が発生していると判断するものである場合、不具合を検出することはできても、その要因を特定することはできない。即ち、錠前の位置検出のみでは、錠前が引っ掛かっているのか、電気錠の電気系統に不具合が発生しているのか、特定することができない。このため、錠前が引っ掛かっている場合でも、電気錠の電気系統を全部交換する場合があった。
【０００８】
本発明は上記問題点を解決するためになされたものであって、その目的は、ユーザが容易にしかも確実に電気錠に発生した不具合の内容を認識することができる建物用ドア錠制御装置を提供することにある。
【課題を解決するための手段】
【０００９】
請求項１に記載の発明は、建物用ドアの錠前を施錠位置と解錠位置との間で電気的に移動させる電気錠と、前記電気錠に発生した不具合を検出する不具合検出手段と、前記不具合検出手段の検出結果の履歴を記憶する記憶手段と、を備えたことをその要旨としている。
【００１０】
上記構成によれば、建物用ドアの錠前を移動させる電気錠に発生した不具合の履歴が記憶手段に記憶されているため、ユーザは所望時に電気錠に発生した不具合の履歴を読み出すことができる。このため、ユーザは電気錠に発生した不具合を容易にしかも確実に認識できる。
【００１１】
請求項２に記載の発明は、請求項１に記載の建物用ドア錠制御装置において、前記錠前の位置を検出する錠前位置検出手段と、前記建物用ドアの位置を検出するドア開閉検出手段と、を備え、前記不具合検出手段は、前記錠前位置検出手段及び前記ドア開閉検出手段の検出結果に基づいて、前記電気錠に発生した不具合を検出することをその要旨としている。
【００１２】
上記構成によれば、錠前の位置を検出する錠前位置検出手段と、建物用ドアの位置を検出するドア開閉検出手段とが設けられているため、電気錠に不具合が発生したとき、錠前の位置を確認すると共に建物用ドアの開閉状態を確認することができる。このため、電気錠に発生した不具合の原因が、錠前が引っ掛かることによる機械的要因によるものなのか、或いは、電気錠の電気系統に発生した電気的要因によるものなのか、判断することができる。
【００１３】
請求項３に記載の発明は、請求項２に記載の建物用ドア錠制御装置において、前記錠前位置検出手段は、前記錠前が施錠位置に存在しているときにＯＮ作動する施錠検出スイッチと、前記錠前が解錠位置に存在しているときにＯＮ作動する解錠検出スイッチとを備えたことをその要旨とする。
【００１４】
上記構成によれば、錠前が施錠位置に在ることを検出する施錠検出スイッチと、錠前が解錠位置に在ることを検出する解錠検出スイッチとが設けられている。このため、ドアが閉まっており錠前の引っ掛かりはないという前提で、錠前を施錠位置と解錠位置との間で移動させることで、施錠検出スイッチに不具合が発生しているのか、解錠検出スイッチに不具合が発生しているのか、或いは何れのスイッチにも不具合が発生していないか、を判断することが可能となる。つまり、電気錠の電気系統に発生した不具合の要因の特定が可能となる。
【００１５】
請求項４に記載の発明は、請求項１に記載の建物用ドア錠制御装置において、前記錠前が施錠位置に存在しているときＯＮ作動する施錠検出スイッチと、前記錠前が解錠位置に存在しているときＯＮ作動する解錠検出スイッチと、を備え、前記不具合検出手段は、前記施錠検出スイッチ及び前記解錠検出スイッチに通電し両スイッチがＯＮ作動しない場合に前記電気錠の電気系統に不具合が生じたと判断することをその要旨としている。
【００１６】
上記構成によれば、錠前が施錠位置にあることを検出する施錠検出スイッチと、錠前が解錠位置にあることを検出する解錠検出スイッチとが設けられている。錠前は施錠位置か解錠位置かの何れか一方に在るはずなので、施錠検出スイッチ及び解錠検出スイッチに通電して両方のスイッチがＯＮ作動しなければ、電気錠の電気系統に不具合が発生したと判断することができる。このため、不具合検出手段は、錠前を作動させなくても、電気錠の電気系統に不具合が発生したか否かを判断することができる。
【００１７】
請求項５に記載の発明は、請求項１〜４のうち何れか１項に記載の建物用ドア錠制御装置において、前記不具合検出手段は、該不具合検出手段の検出結果をエラーコード表示する表示手段を備えたことをその要旨とする。
【００１８】
上記構成によれば、不具合検出手段の検出結果がエラーコード表示される。このため、エラーコードに対応するコード表を参照すれば、ユーザは不具合の要因及びその対応を認識することが可能となる。
【００１９】
請求項６に記載の発明は、請求項１〜５のうち何れか１項に記載の建物用ドア錠制御装置において、前記不具合検出手段は、前記記憶手段に記憶された不具合を読み出して不具合内容を診断する診断手段を接続可能な接続部を備えたことをその要旨とする。
【００２０】
上記構成によれば、不具合検出手段に、記憶手段に記憶された内容を読み出して診断する診断手段が接続可能である。このため、ユーザは所望時に電気錠に生じた不具合の原因を認識することができる。
【発明の効果】
【００２１】
本発明によれば、ユーザが容易にしかも確実に電気錠に発生した不具合の内容を認識することができる。
【発明を実施するための最良の形態】
【００２２】
以下、本発明の物用ドア錠制御装置を住宅用の施解錠制御システムに具体化した実施形態を図面に従って説明する。
図１及び図２に示すように、施解錠制御システム１は、電子キー１１と電気錠１２と室内制御盤１３とを備えている。電子キー１１は、住宅２に居住する家人（ユーザ）によって所持されるものである。電気錠１２は、住宅２の玄関（主に建物用ドアとしてのドア３）に設けられるものである。施解錠制御システム１は、電気錠１２に対応する電子キー１１が利用されたとき、自動的にドア３を施解錠する。
【００２３】
図３に示すように、電子キー１１は、受信回路１４、マイコン１５、送信回路１６を備えている。受信回路１４は、電気錠１２から送信されるリクエスト信号を受信するための回路である。受信回路１４は、電気錠１２からのリクエスト信号を受信すると、そのリクエスト信号を復調して受信信号を生成し、その受信信号をマイコン１５に出力する。受信回路１４には受信アンテナ１４ａが接続されており、受信回路１４は受信アンテナ１４ａを介してリクエスト信号を受信する。
【００２４】
マイコン１５は、不揮発性のメモリ１５ａを備えている。メモリ１５ａには、電子キー１１毎に個別に設定されたＩＤコード（電子キー１１のＩＤコード）が記憶されている。マイコン１５は、受信回路１４から受信信号が入力されると、リクエスト信号に応答するために電子キー１１のＩＤコードを含む信号（ＩＤコード信号）を送信回路１６に出力する。
【００２５】
送信回路１６は、マイコン１５から入力されたＩＤコード信号を所定周波数（本実施形態では３００ＭＨｚ）の電波に変調して外部に送信するための回路である。送信回路１６には送信アンテナ１６ａが接続されており、送信回路１６は送信アンテナ１６ａを介してＩＤコード信号を外部に出力する。
【００２６】
図１及び図２に示すように、電気錠１２は、屋外アンテナユニット４、屋内アンテナユニット５、２つのドア錠機構６，７、ドア開閉検出手段としてのドア開閉センサ８、施解錠制御部２１を備えている。
【００２７】
屋外アンテナユニット４は、ドア３の屋外側の側面に露出した状態で設けられている。屋外アンテナユニット４は、図３に示す送信アンテナ４ａと受信アンテナ４ｂとを備えている。屋内アンテナユニット５は、ドア３の屋内側の側面に露出した状態で設けられている。屋内アンテナユニット５は、図３に示す送信アンテナ５ａと受信アンテナ５ｂとを備えている。
【００２８】
ドア錠機構６，７の各々は、ドア３内に配設されている。ドア錠機構６，７は、錠前６ａ，７ａ、サムターン６ｂ，７ｂを備えている。サムターン６ｂ，７ｂはドア３の屋内側の側面に設けられている。錠前６ａ，７ａは、サムターン６ｂ，７ｂが手動で駆動されることで、ドア３の端面３ａから出没する。
【００２９】
また、図３に示すように、ドア錠機構６，７は、各々、解錠検出スイッチ６１，７１、施錠検出スイッチ６２，７２、錠前駆動機構６３，７３を備えている。解錠検出スイッチ６１，７１及び施錠検出スイッチ６２，７２は、錠前６ａ，７ａの位置を検出する錠前位置検出手段として機能する。即ち、解錠検出スイッチ６１，７１は、錠前６ａ，７ａがドア３内に没入されている位置（解錠位置）に存在しているときＯＮ作動する。一方、施錠検出スイッチ６２，７２は、錠前６ａ，７ａがドア３の端面３ａから突出されている位置（施錠位置）に存在しているときＯＮ作動する。錠前駆動機構６３，７３はモータ等の駆動源で構成されており、サムターン６ｂ，７ｂを駆動して錠前６ａ，７ａを解錠位置と施錠位置との間で移動させる。
【００３０】
図１に示すように、ドア開閉センサ８は、マグネット８ａ、検出スイッチ８ｂを備えている。マグネット８ａは、ドア枠に設けられている。検出スイッチ８ｂは、ドア３が閉じられたときに、マグネット８ａに対向配置されるように、ドア３内に設けられている。ドア３が正規の位置で閉じた状態とされると、検出スイッチ８ｂはＯＮ作動する。
【００３１】
図３に示すように、施解錠制御部２１は、送信回路２２、受信回路２３、施解錠制御マイコン２４を備えている。送信回路２２には、送信アンテナ４ａ，５ａが接続されている。受信回路２３は、施解錠制御マイコン２４から入力されるリクエスト信号を所定周波数（本実施形態では１３４ｋＨｚ）の電波に変調して送信アンテナ４ａ，５ａを介して送信する。リクエスト信号は、各送信アンテナ４ａ，５ａを介してドア３周辺の所定領域Ａ１（図２参照）に送信される。その結果、所定領域Ａ１において電子キー１１と施解錠制御部２１との間での双方向通信が可能となる。
【００３２】
受信回路２３には、受信アンテナ４ｂ，５ｂが接続されている。受信回路２３は、電子キー１１から送信されてくるＩＤコード信号を受信アンテナ４ｂ，５ｂを介して受信する。受信回路２３は、電子キー１１からのＩＤコード信号を受信すると、そのＩＤコード信号を復調して受信信号を生成し、その受信信号を施解錠制御マイコン２４に出力する。
【００３３】
施解錠制御マイコン２４は、不揮発性のメモリ２４ａを備えている。メモリ２４ａには、対応する電子キー１１のＩＤコードと同一のＩＤコード（基準ＩＤコード）が記憶されている。施解錠制御マイコン２４は、送信回路２２にリクエスト信号を間欠的に出力する。施解錠制御マイコン２４は、リクエスト信号を出力したことに基づいて、受信回路２３から受信信号が入力されたとき、受信信号に含まれるＩＤコードと基準ＩＤコードとが一致しているか否かを判断する。つまり、この場合、両ＩＤコードが一致したとき、ドア錠機構６，７（詳しくは、錠前駆動機構６３，７３）の各々に解錠指令信号を出力する。
【００３４】
ドア錠機構６，７は、施解錠制御マイコン２４から解錠指令信号が入力されると、サムターン６ｂ，７ｂを駆動することで、錠前６ａ，７ａをドア３内に没入させてドア錠を解錠させる。そして、施解錠制御マイコン２４は、解錠検出スイッチ６１，７１がＯＮ作動したことを検出すると、ドア錠の解錠が完了したと判断し、錠前駆動機構６３，７３の駆動を停止させる。
【００３５】
また、施解錠制御マイコン２４は、ドア３が解錠されて開けられた後、ドア３が閉じられると、ドア錠機構６，７（詳しくは錠前駆動機構６３，７３）の各々に施錠指令信号を出力する。即ち、施解錠制御マイコン２４は、錠前駆動機構６３，７３に解錠指令信号を出力した後、ドア開閉センサ８からの検出結果に基づいてドア３が開けられたことを検出した後、ドア３が閉じられたことを検出すると、ドア錠機構６，７に施錠指令信号を出力する。ドア錠機構６，７は、施解錠制御マイコン２４から施錠指令信号が入力されると、サムターン６ｂ，７ｂを駆動することで、錠前６ａ，７ａをドア３から突出させてドア錠を施錠させる。そして、施解錠制御マイコン２４は、施錠検出スイッチ６２，７２がＯＮ作動したことを検出すると、ドア錠の施錠が完了したと判断し、錠前駆動機構６３，７３の駆動を停止させる。
【００３６】
また、施解錠制御マイコン２４は、電気錠１２に発生した不具合を検出する不具合検出手段として機能する。即ち、施解錠制御マイコン２４は、ドア錠機構６，７及びドア開閉センサ８から入力された検出結果に基づいて、電気錠１２に不具合が生じたか否かを判断する。そして、施解錠制御マイコン２４は、電気錠１２に不具合が発生したと判断した場合、ドア錠機構６，７及びドア開閉センサ８から入力された検出結果に基づいてその不具合内容を判定し、その判定結果を室内制御盤１３に出力する。
【００３７】
図３に示すように、室内制御盤１３は、報知制御マイコン３１、通報部３２、接続部３３、表示部３４、Ｉ／Ｏ部３５を備えている。
報知制御マイコン３１は、施解錠制御マイコン２４を介して、ドア錠機構６，７に解錠指令信号及び施錠指令信号を出力することができる。
【００３８】
報知制御マイコン３１は、記憶手段としての不揮発性のメモリ３１ａを備えている。報知制御マイコン３１は、施解錠制御マイコン２４から電気錠１２に発生した不具合の検出結果が入力されると、その判定結果をメモリ３１ａに記憶させる。また、報知制御マイコン３１は、検出結果が入力される毎に、その検出結果をメモリ３１ａに追加記憶させる。これにより、メモリ３１ａには、時系列的に入力される不具合の検出結果、つまり電気錠１２に発生した不具合の履歴が記録される。
【００３９】
通報部３２は、報知制御マイコン３１から通報信号が入力されると作動し、警備センタ４１に対して無線又は有線によって通報信号を送信する。接続部３３は、警報サイレン４２が接続可能とされている。警報サイレン４２は、報知制御マイコン３１から駆動信号が入力されると作動し、警報を鳴らす。
【００４０】
表示部３４は、メモリ３１ａに記憶されている不具合内容に基づいて、２桁のエラーコードを表示する。不具合内容とエラーコードとの関係は予め設定されており、報知制御マイコン３１は、入力された不具合の内容に基づいて、不具合内容に対応するエラーコードを表示させるように表示部３４を制御する。なお、エラーコードは２桁に限られず、１桁でもよいし３桁以上であってもよい。このように、電気錠１２に発生した不具合内容がエラーコード表示されると、エラーコード表があれば、ユーザは不具合内容を認識することができる。また、エラーコード表がなければ不具合内容を知ることができないので、防犯性の向上を図ることができる。
【００４１】
Ｉ／Ｏ部３５は、診断手段としての故障診断機４３が接続可能とされている。Ｉ／Ｏ部３５に故障診断機４３が接続されると、報知制御マイコン３１は、メモリ３１ａに記憶されている不具合内容の履歴を示す信号を故障診断機４３に出力する。故障診断機４３は、入力された信号に基づいて、電気錠１２に発生した不具合の履歴及びその対処方法を液晶画面に文字で表示する。
【００４２】
報知制御マイコン３１は、施解錠制御マイコン２４から入力された不具合の内容及びメモリ３１ａに記憶されている不具合の内容に基づいて、その不具合を報知するための信号を通報部３２、接続部３３、表示部３４、Ｉ／Ｏ部３５に出力する。報知制御マイコン３１は、不具合内容に対応した報知方法を選択し、報知方法に対応した装置に信号を出力する。
【００４３】
例えば、不審者侵入、不審者侵入可能状態等の緊急性の高い不具合内容であれば、報知制御マイコン３１は通報部３２、又は接続部３３を介して警報サイレン４２に信号を出力する。また、施工時の不具合、長年の使用により生じた不具合等、ユーザに不具合内容を認識させることが必要である不具合内容であれば、報知制御マイコン３１は表示部３４、又はＩ／Ｏ部３５に接続された故障診断機４３に信号を出力する。
【００４４】
上述したように、メモリ３１ａに電気錠１２に発生した不具合が記憶されており、表示部３４又は故障診断機４３にその不具合内容を表示させることができるため、例えば、電気錠１２の施工時やメンテナンス時に不具合が発生した場合、施工者（ユーザ）は不具合内容を認識することができる。このため、電気錠１２の施工性、メンテナンス性が向上する。また、例えば、電気錠１２の使用に伴い不具合が発生した場合も、家人（ユーザ）は表示部３４や故障診断機４３に不具合内容を表示させることで不具合内容を認識することができる。このため、電気錠１２の使い勝手がよい。
【００４５】
次に、上記施解錠制御システム１の特徴点について説明する。
先ず、施解錠制御マイコン２４が、サムターン６ｂ，７ｂ（錠前６ａ，７ａ）の作動時に不具合を検出する場合について説明する。
【００４６】
図３に示すように、施解錠制御マイコン２４は、錠前駆動機構６３，７３に駆動信号（解錠指令信号又は施錠指令信号）を出力しても、一定時間経過後に解錠検出スイッチ６１，７１又は施錠検出スイッチ６２，７２がＯＮ作動しない場合は、電気錠１２に不具合が発生したと判断する。このとき、施解錠制御マイコン２４は、ドア開閉センサ８から入力された検出結果と併せて、不具合内容を判定する。
【００４７】
詳述すると、施解錠制御マイコン２４は、ドア開閉センサ８から入力された検出結果に基づいて、ドア３が閉じていないことを検出すれば、錠前６ａ，７ａが機械的に引っ掛かっていると判断する。そして、電気錠１２に発生した不具合内容は錠前６ａ，７ａの機械的要因によるものであることを報知制御マイコン３１に出力する。
【００４８】
また、施解錠制御マイコン２４は、ドア開閉センサ８から入力された検出結果に基づいて、ドア３が閉じていることを検出すれば、錠前６ａ，７ａは引っ掛かっておらず、電気錠１２の電気系統に不具合の原因があると判断する。そして、施解錠制御マイコン２４は、ドア３が閉まっていることを前提として、即ち錠前６ａ，７ａの引っ掛かりは発生していないことを前提として、不具合の原因を探ってゆく。
【００４９】
施解錠制御マイコン２４は、解錠検出スイッチ６１，７１又は施錠検出スイッチ６２，７２がＯＮ作動している状態で駆動信号（解錠指令信号又は施錠指令信号）を出力し、一定時間経過してもスイッチが切り替わらない場合は、錠前駆動機構６３，７３に不具合が発生していると判断し、その旨を報知制御マイコン３１に出力する。
【００５０】
また、施解錠制御マイコン２４は、施錠検出スイッチ６２，７２がＯＮ作動している状態で解錠指令信号を出力し、施錠検出スイッチ６２，７２がＯＦＦ作動しても解錠検出スイッチ６１，７１がＯＮ作動しない場合は、解錠検出スイッチ６１，７１に不具合が発生していると判断し、その旨を報知制御マイコン３１に出力する。同様に、施解錠制御マイコン２４は、解錠検出スイッチ６１，７１がＯＮ作動している状態で施錠指令信号を出力し、解錠検出スイッチ６１，７１がＯＦＦ作動しても施錠検出スイッチ６２，７２がＯＮ作動しない場合は、施錠検出スイッチ６２，７２に不具合が発生していると判断し、その旨を報知制御マイコン３１に出力する。
【００５１】
ところで、施解錠制御マイコン２４から錠前駆動機構６３，７３に駆動信号（解錠指令信号又は施錠指令信号）が出力されても、１度では錠前６ａ，７ａが解錠位置又は施錠位置に移動せず、複数回に亘って駆動信号が出力されることで（サムターン６ｂ，７ｂが複数回駆動されることで）錠前６ａ，７ａが解錠位置又は施錠位置に移動される場合がある。この場合、施解錠制御マイコン２４は、錠前６ａ，７ａに軽微な引っ掛かりが生じていると判断し、その旨を錠前６ａ，７ａの駆動回数と共に報知制御マイコンに出力する。
【００５２】
また、故障診断機４３には、報知制御マイコン３１からドア錠機構６，７に解錠指令信号及び施錠指令信号を出力させることができる操作部が設けられている。この操作部の操作により、報知制御マイコン３１からドア錠機構６，７に駆動信号が出力されると、錠前６ａ，７ａが解錠位置と施錠位置との間を移動される。そこで、報知制御マイコン３１は、ドア３が閉じた状態にあることを前提として、錠前６ａ，７ａを解錠位置と施錠位置との間で移動させることで、上述したように不具合の要因を特定することが可能となる。
【００５３】
次に、施解錠制御マイコン２４が、サムターン６ｂ，７ｂ（錠前６ａ，７ａ）の非作動時に不具合を検出する場合について説明する。
施解錠制御マイコン２４は、錠前駆動機構６３，７３に駆動信号（解錠指令信号又は施錠指令信号）を出力しても、一定時間経過後に解錠検出スイッチ６１，７１又は施錠検出スイッチ６２，７２がＯＮ作動しない場合は、電気錠１２に不具合が発生したと判断する。そして、施解錠制御マイコン２４は、錠前駆動機構６３，７３への駆動信号の出力を停止し、通電検査を行う。即ち、施解錠制御マイコン２４は、錠前６ａ，７ａを移動させない状態で、ドア錠機構６，７の解錠検出スイッチ６１，７１及び施錠検出スイッチ６２，７２に通電する。そして、両方のスイッチがＯＮ作動しなければ、解錠検出スイッチ６１，７１又は施錠検出スイッチ６２，７２に接触不良や断線等の不具合が発生していると判断し、その旨を報知制御マイコン３１に出力する。なお、施解錠制御マイコン２４は、電気錠１２の施工時、又は電気錠１２の経年使用に伴い定期的に、上記の通電検査を行ってもよい。
【００５４】
本実施形態の構成によれば、以下に記載の効果を得ることができる。
（１）ドア３の錠前６ａ，７ａを移動させる電気錠１２に発生した不具合の履歴がメモリ３１ａに記憶されているため、ユーザは所望時に電気錠１２に発生した不具合の履歴を、表示部３４や故障診断機４３により読み出すことができる。このため、ユーザはドア３に発生した不具合を容易にしかも確実に認識できる。
【００５５】
（２）錠前６ａ，７ａの位置を検出する解錠検出スイッチ６１，７１及び施錠検出スイッチ６２，７２と、ドア３の位置を検出するドア開閉センサ８とが設けられているため、電気錠１２に不具合が発生したとき、錠前６ａ，７ａの位置を確認すると共にドア３の開閉状態を確認することができる。このため、電気錠１２に発生した不具合の原因が、錠前６ａ，７ａが引っ掛かることによる機械的要因によるものなのか、或いは、電気系統に発生した電気的要因によるものなのか、判断することができる。
【００５６】
（３）錠前６ａ，７ａが解錠位置に在ることを検出する解錠検出スイッチ６１，７１と、錠前が施錠位置に在ることを検出する施錠検出スイッチ６２，７２とが設けられている。このため、ドア３が閉まっており錠前６ａ，７ａの引っ掛かりはないという前提で、錠前６ａ，７ａを施錠位置と解錠位置との間で移動させることで、解錠検出スイッチ６１，７１に不具合が発生しているのか、施錠検出スイッチ６２，７２に不具合が発生しているのか、或いは何れのスイッチにも不具合が発生していないか、を判断することが可能となる。つまり、電気錠１２の電気系統に発生した不具合の要因の特定が可能となる。
【００５７】
（４）ドア錠機構６，７には、錠前６ａ，７ａが解錠位置にあることを検出する解錠検出スイッチ６１，７１と、錠前６ａ，７ａが施錠位置にあることを検出する施錠検出スイッチ６２，７２とが設けられている。錠前６ａ，７ａは解錠位置か施錠位置かの何れか一方に在るはずなので、解錠検出スイッチ６１，７１及び施錠検出スイッチ６２，７２に通電して両スイッチがＯＮ作動しなければ電気錠１２の電気系統に不具合が発生したと判断することができる。このため、施解錠制御マイコン２４は、ドア錠機構６，７を駆動しなくても、電気錠１２の電気系統に不具合が発生したか否かを判断することができる。
【００５８】
（５）室内制御盤１３には、施解錠制御マイコン２４により検出された電気錠１２に発生した不具合の内容がエラーコード表示される。このため、エラーコードに対応するコード表を参照すれば、ユーザは不具合の要因及びその対応を認識することができる。
【００５９】
（６）不具合検出手段に、記憶手段に記憶された内容を読み出して診断する診断手段が接続可能である。このため、ユーザは所望時に電気錠に生じた不具合の原因を認識することができる。
【００６０】
なお、前記実施形態は、次のように変更してもよい。
・電気錠１２に発生した不具合を記憶させる記憶手段は、メモリ３１ａに限定されない。不具合内容を施解錠制御マイコン２４のメモリ２４ａに記憶させてもよいし、メモリ３１ａに記憶された不具合内容を読み出して外部記憶装置に記憶させてもよい。
【００６１】
・施解錠制御マイコン２４は不具合を検出せず、ドア錠機構６，７及びドア開閉センサ８からの検出結果を報知制御マイコン３１に出力するものとし、報知制御マイコン３１に電気錠１２に発生した不具合を検出させてもよい。
【００６２】
・サムターン６ｂ，７ｂ（錠前６ａ，７ａ）の作動時に電気錠１２の不具合を検出する場合、錠前６ａ，７ａの位置を検出するためのスイッチは、解錠検出スイッチ６１，７１及び施錠検出スイッチ６２，７２のうち何れか一方のみとしてもよい。何れか一方のスイッチがあれば、施解錠制御マイコン２４は、錠前６ａ，７ａの位置を検出することができる。
【００６３】
・サムターン６ｂ，７ｂ（錠前６ａ，７ａ）の非作動時に電気錠１２の不具合を検出する場合、ドア開閉センサ８はなくても、解錠検出スイッチ６１，７１及び施錠検出スイッチ６２，７２に通電することで、施解錠制御マイコン２４は電気錠１２の電気系統に不具合があるか否かを検出することができる。
【００６４】
・ドア開閉センサ８、解錠検出スイッチ６１，７１及び施錠検出スイッチ６２，７２の構成は、対象物の位置を検出できるものであればどのような構成としてもよい。
・施解錠制御システム１は、開き戸式のドア３に代えて、引き戸式のドアに適用されてもよい。
【００６５】
・施解錠制御システム１は、住宅用のドア３に限らず、店舗や事務所等の建物用のドアに適用されてもよい。
・電子キー１１と電気錠１２との間で双方向通信が行われる施解錠制御システム１に限らず、電子キーに設けられたスイッチが操作されたときに、ドアが解錠される施解錠制御システム（単方向通信が行われる施解錠制御システム）に適用されてもよい。
【図面の簡単な説明】
【００６６】
【図１】自動ドア制御システムが適用されるドアを示す概略斜視図。
【図２】ドアの概略側面図。
【図３】自動ドア制御システムの概略構成を示すブロック図。
【符号の説明】
【００６７】
１…施解錠制御システム（建物用ドア錠制御装置）、３…ドア（建物用ドア）、６ａ，７ａ…錠前、８…ドア開閉センサ（ドア開閉検出手段）、１２…電気錠、２４…施解錠制御マイコン（不具合検出手段）、３１ａ…メモリ（記憶手段）、３３…接続部、３４…表示部、４３…故障診断機（診断手段）、６１，７１…解錠検出スイッチ（錠前位置検出手段）、６２，７２…施錠検出スイッチ（錠前位置検出手段）。
【図１】
2007315033.tif 000003
【図２】
2007315033.tif 000004
【図３】
2007315033.tif 000005